(57)【要約】【課題】筐体の機械的強度を向上させ、薄型、軽量な光ディスク装置を提供することを目的とする。【解決手段】第一の筐体部と第二の筐体部を互いに固定して構成された筐体と、媒体を回転させる駆動手段，光学系部材を搭載した光ピックアップモジュール，駆動手段と光ピックアップモジュールを搭載したトレイ、制御部を構成する回路部を備えた光ディスク装置であって、第一の筐体部は、主底面と主底面に略並行でかつ第二の筐体部寄りに段差をなして配置された準底面と、主底面と準底面をつなぐ側面と、主底面と準底面の端部に設けられた第二の筐体部との結合部と、準底面と側面の交線近傍から主底面側に伸ばされた平板状突起部からなり、主底面と側面と突起部に対面して補強部材が配置され、補強部材と突起部とは補強部材が突起部を挟みつける構造を少なくとも部分的に有する。【選択図】  図６
2004355672.tif 000002
【特許請求の範囲】
【請求項１】
第一の筐体部と第二の筐体部を互いに固定して構成された筐体と、媒体を回転させる駆動手段，光学系部材を搭載した光ピックアップモジュール，前記駆動手段と光ピックアップモジュールを搭載したトレイ、制御部を構成する回路部を備えた光ディスク装置であって、前記第一の筐体部は、主底面と前記主底面に略並行でかつ前記第二の筐体部寄りに段差をなして配置された準底面と、前記主底面と前記準底面をつなぐ側面と、前記主底面と前記準底面の端部に設けられた前記第二の筐体部との結合部と、前記準底面と前記側面の交線近傍から前記主底面側に伸ばされた平板状突起部からなり、前記主底面と前記側面と前記突起部に対面して補強部材が配置され、前記補強部材と前記突起部とは前記補強部材が前記突起部を挟みつける構造を少なくとも部分的に有することを特徴とする光ディスク装置。
【請求項２】
補強部材は、筐体にトレイを移動自在に保持する保持手段を併せて構成することを特徴とする請求項１記載の光ディスク装置。
【請求項３】
補強部材が突起部を挟みつける構造は、前記補強部材に設けられた係止部と前記突起部に設けられた貫通孔にて係止する構造を含むことを特徴とする請求項１記載の光ディスク装置。
【請求項４】
補強部材が突起部を挟みつける構造は、前記補強部材に設けた突起の先端部を潰して広げることで前記突起部を挟みつける構造を含むことを特徴とする請求項１記載の光ディスク装置。
【請求項５】
補強部材が突起部を挟み込む構造は、前記補強部材が貫通孔を有し、前記突起部に前記貫通孔が嵌合する構造を含むことを特徴とする請求項１記載の光ディスク装置。
【請求項６】
補強部材と主底面が嵌合構造により嵌合していることを特徴とする請求項１記載の光ディスク装置。
【請求項７】
補強部材が主底面を挟みつける構造を少なくとも含むことを特徴とする請求項１記載の光ディスク装置。
【請求項８】
補強部材が主底面を挟みつける構造は、前記補強部材に設けられた係止部と前記主底面に設けられた貫通孔にて係止する構造を含むことを特徴とする請求項７記載の光ディスク装置。
【請求項９】
補強部材が主底面を挟みつける構造は、前記補強部材に設けた突起の先端部を潰して広げることで前記主底面を挟みつける構造を含むことを特徴とする請求項７記載の光ディスク装置。
【請求項１０】
補強部材が主底面を挟みつける構造は、前記補強部材が貫通孔を有し、前記主底面に前記貫通孔が嵌合する構造を含むことを特徴とする請求項７記載の光ディスク装置。
【請求項１１】
第一の筐体部と第二の筐体部を互いに固定して構成された筐体と、媒体を回転させる駆動手段，光学系部材を搭載した光ピックアップモジュール，前記駆動手段と光ピックアップモジュールを搭載したトレイ、制御部を構成する回路部を備えた光ディスク装置であって、前記第一の筐体部は、主底面と前記主底面に略並行でかつ前記第二の筐体部寄りに段差をなして配置された準底面と、前記主底面と前記準底面をつなぐ側面と、前記主底面と前記準底面の端部に設けられた前記第二の筐体部との結合部からなり、前記主底面と前記側面に対面して補強部材が配置され、前記補強部材は前記主底面と前記側面の少なくとも一方に接着剤にて接着された部分を含むことを特徴とする光ディスク装置。
【請求項１２】
第１の領域及び前記第１の領域よりも間隔の狭い第２の領域を有した筐体と、前記第１の領域に対向して媒体を回転させる駆動手段，光学系部材を搭載した光ピックアップモジュール，前記駆動手段と光ピックアップモジュールを搭載したトレイを配置した光ディスク装置であって、前記第１の領域において前記第２の領域側の端部に補強部材を設けたことを特徴とする光ディスク装置。
【請求項１３】
トレイをスライド自在に保持するレール部を前記第１の領域の端部に設け、前記レール部をスライド自在に保持する保持部と補強部材を兼用し、前記保持部は第１の領域の一部を挟むように設けたことを特徴とする請求項１２記載の光ディスク装置。
【請求項１４】
第１の領域の側方に第２の領域を設けたことを特徴とする請求項１２記載の光ディスク装置。
【発明の詳細な説明】
【０００１】
【発明の属する技術分野】
本発明は、パーソナルコンピュータなどの電子機器に搭載され、更に好ましくは、モバイル型の電子機器に搭載されるのに好ましい光ディスク装置に関するものである。
【０００２】
【従来の技術】
従来のコンピュータ本体内蔵タイプの光ディスク装置は、装置全体が筐体に収められた構造になっており、これをコンピュータ本体のスペースに組み込むことによって取り付けられるのが一般的であった。取り付け部は筐体に有り、ここでコンピュータ本体に取り付けられていた。
【０００３】
図１２は従来の光ディスク装置の構成を示す斜視図である。１は光ピックアップ、２はメインシャフト、３はサブシャフト、４はスピンドルモータ、５はベース、６は光ピックアップモジュール（ＰＵＭ）、７はトレイ、８はキャリッジ、９はレール、１０は筐体、１１は光ディスク装置、１２は光ディスク装置１１側の取り付けネジ穴、１３は制御回路等を構成する回路基板、１４はフレームである。
【０００４】
図１３は従来の光ディスク装置における携帯用電子機器への取り付け方法を示す図である。１５は携帯用電子機器、１６は取り付けに介在させるアタッチメント、１７はアタッチメント側取り付け穴である。
【０００５】
図１４は従来の光ディスク装置の中央部をトレイ引き出し方向に垂直な面で切った断面図で、従来の光ディスク装置の構成を示す図及び従来の構成の問題点を示す図である。１０ａは上カバー、１０ｂは下カバー、１０ｃは上カバーと下カバーの嵌合部、１０ｄはディスク収納部、１０ｅはドライブ収納部、１８はディスク、１９はレールガイドである。
【０００６】
図１２において、光ピックアップ１はメインシャフト２、サブシャフト３をガイドとしてスピンドルモータ４の径方向に動きながらスピンドルモータ部に取り付けられたディスクのデータの読み込みや書き込みを行なう。メインシャフト２、サブシャフト３はベース５に取り付けられ、全体として光ピックアップモジュール６を形成する。光ピックアップモジュール６はトレイ７に固定される。トレイ７はレール９によって筐体１０に対してスライドするようになっている。トレイ７は、光ディスク着脱時には筐体１０から引き出され、データの読み書き時には筐体１０の中に収められる。また、制御回路等を構成する回路基板１３はトレイまたは筐体の少なくとも一方に取り付けられている。以上の構成にて、全体として携帯用電子機器内蔵タイプの光ディスク装置１１が形成されている。
【０００７】
図１３において、光ディスク装置１１本体の筐体１０にはコンピュータ本体へ取り付ける取り付けネジ穴１２が設けられている。携帯用電子機器１５には取り付けに介在させるアタッチメント１６が有り、アタッチメント側取り付け穴１７と光ディスク装置１１側の取り付けネジ穴１２間をネジ止めし、アタッチメント１６を携帯用電子機器１５に装着する事によって光ディスク装置１１を装着固定する。
【０００８】
従来のディスク装置においては、筐体１０は以上に示したように、光ピックアップモジュール６やスピンドルモータ４等を装着したトレイ７をレール９を介して位置決めする働きとともに、光ディスクを携帯用電子機器１５に固定する働きを有していた。光ディスク装置の薄型化も基本的にこの構造にて対応がなされていた。
【０００９】
筐体１０は上カバー１０ａと下カバー１０ｂで構成され、側面の嵌合部１０ｃで嵌合している。筐体の中央部をトレイ引き出し方向に垂直な面で切った断面をみると図１４（ａ）に示すように、断面形状はディスク１８を収納するディスク収納部１０ｄと光ディスク装置のドライブ機構や回路を収納するドライブ収納部１０ｅを構成しており、両収納部の形状は主に下カバー１０ｂで構成されている。したがって下カバー１０ｂには両収納部の形状を形成するため２つの曲げ部１０ｆ、１０ｇを有している。また２つの曲げ部１０ｆ、１０ｇに接してレールガイド１９が構成されている。
【００１０】
従来のコンピュータ本体内蔵タイプの光ディスク装置の筐体は一般的にこのような構成となっていた。
【００１１】
先行例としては、（特許文献１）（特許文献２）等がある。
【００１２】
【特許文献１】
特開平８−１７１７８６号公報
【特許文献２】
特開平７−２０１０４４号公報
【００１３】
【発明が解決しようとする課題】
光ディスク装置の更なる軽量化、薄型化に対応する為、金属板などで構成される筐体１０の肉厚を薄くする方法が考えられる。
【００１４】
しかしながら、筐体１０の肉厚を薄くすると当然のことながら機械的強度が低下するが、従来のディスク装置においては、特に図１０（ｂ）に示す荷重Ｆのような曲げ部１０ｆ、１０ｇ近傍の筐体端部への荷重に対して、曲げ部１０ｆ、１０ｇの近傍が変形しやすく、変形によるディスクと筐体の衝突が生じる可能性が生じるため、肉厚を薄くできないという問題点があった。
【００１５】
本発明は、上記従来の課題を解決するもので、機械的強度を向上させ、薄型、軽量な光ディスク装置を提供することを目的とする。
【００１６】
【課題を解決するための手段】
この問題を解決するために本発明は、第一の筐体部と第二の筐体部を互いに固定して構成された筐体と、媒体を回転させる駆動手段，光学系部材を搭載した光ピックアップモジュール，前記駆動手段と光ピックアップモジュールを搭載したトレイ、制御部を構成する回路部を備えた光ディスク装置であって、前記第一の筐体部は、主底面と前記主底面に略並行でかつ前記第二の筐体部寄りに段差をなして配置された準底面と、前記主底面と前記準底面をつなぐ側面と、前記主底面と前記準底面の端部に設けられた前記第二の筐体部との結合部と、前記準底面と前記側面の交線近傍から前記主底面側に伸ばされた平板状突起部からなり、前記主底面と前記側面と前記突起部に対面して補強部材が配置され、前記補強部材と前記突起部とは前記補強部材が前記突起部を挟みつける構造を少なくとも部分的に有することとした。
【００１７】
これにより、主底面と側面の結合部及び側面と準底面の結合部が補強されるため、外部からの荷重、特に準底面端部近傍にかかる主底面に垂直な方向の荷重による筐体の変形を低減することができる。
【００１８】
【発明の実施の形態】
請求項１記載の発明は、第一の筐体部と第二の筐体部を互いに固定して構成された筐体と、媒体を回転させる駆動手段，光学系部材を搭載した光ピックアップモジュール，前記駆動手段と光ピックアップモジュールを搭載したトレイ、制御部を構成する回路部を備えた光ディスク装置であって、前記第一の筐体部は、主底面と前記主底面に略並行でかつ前記第二の筐体部寄りに段差をなして配置された準底面と、前記主底面と前記準底面をつなぐ側面と、前記主底面と前記準底面の端部に設けられた前記第二の筐体部との結合部と、前記準底面と前記側面の交線近傍から前記主底面側に伸ばされた平板状突起部からなり、前記主底面と前記側面と前記突起部に対面して補強部材が配置され、前記補強部材と前記突起部とは前記補強部材が前記突起部を挟みつける構造を少なくとも部分的に有することを特徴とする光ディスク装置によって、主底面と側面の結合部及び側面と準底面の結合部が補強されるため、外部からの荷重、特に準底面端部近傍にかかる主底面に垂直な方向の荷重による筐体の変形を低減することができる。
【００１９】
請求項２記載の発明は、補強部材は、筐体にトレイを移動自在に保持する保持手段を併せて構成することを特徴とする請求項１記載の光ディスク装置によって、補強部材を部材点数を増やすことなく構成することができる。
【００２０】
請求項３記載の発明は、補強部材が突起部を挟みつける構造は、前記補強部材に設けられた係止部と前記突起部に設けられた貫通孔にて係止する構造を含むことを特徴とする請求項１記載の光ディスク装置によって、簡単な構成で補強部材を筐体に取り付けることができ、筐体を補強することができる。
【００２１】
請求項４記載の発明は、補強部材が突起部を挟みつける構造は、前記補強部材に設けた突起の先端部を潰して広げることで前記突起部を挟みつける構造を含むことを特徴とする請求項１記載の光ディスク装置によって、簡単な構成で補強部材を筐体に取り付けることができ、筐体を補強することができる。
【００２２】
請求項５記載の発明は、補強部材が突起部を挟み込む構造は、前記補強部材が貫通孔を有し、前記突起部に前記貫通孔が嵌合する構造を含むことを特徴とする請求項１記載の光ディスク装置によって、簡単な構成で突起部を挟みつける効果が高く、より効果的に筐体を補強することができる。
【００２３】
請求項６記載の発明は、補強部材と主底面が嵌合構造により嵌合していることを特徴とする請求項１記載の光ディスク装置によって、簡単な構成で補強部材による筐体の補強をより強固にすることができる。
【００２４】
請求項７記載の発明は、補強部材が主底面を挟みつける構造を少なくとも含むことを特徴とする請求項１記載の光ディスク装置によって、簡単な構成で補強部材による筐体の補強をより強固にすることができる。
【００２５】
請求項８記載の発明は、補強部材が主底面を挟みつける構造は、前記補強部材に設けられた係止部と前記主底面に設けられた貫通孔にて係止する構造を含むことを特徴とする請求項７記載の光ディスク装置によって、補強部材の筐体への取り付けをより確実にし、補強部材による筐体の補強をより強固にすることができる。
【００２６】
請求項９記載の発明は、補強部材が主底面を挟みつける構造は、前記補強部材に設けた突起の先端部を潰して広げることで前記主底面を挟みつける構造を含むことを特徴とする請求項７記載の光ディスク装置によって、補強部材の筐体への取り付けをより確実にし、補強部材による筐体の補強をより強固にすることができる。
【００２７】
請求項１０記載の発明は、補強部材が主底面を挟みつける構造は、前記補強部材が貫通孔を有し、前記主底面に前記貫通孔が嵌合する構造を含むことを特徴とする請求項７記載の光ディスク装置によって、補強部材の筐体への取り付けをより確実にするとともに簡単な構成で突起部を挟みつける効果が高く、より効果的に筐体を補強することができる。
【００２８】
請求項１１記載の発明は、第一の筐体部と第二の筐体部を互いに固定して構成された筐体と、媒体を回転させる駆動手段，光学系部材を搭載した光ピックアップモジュール，前記駆動手段と光ピックアップモジュールを搭載したトレイ、制御部を構成する回路部を備えた光ディスク装置であって、前記第一の筐体部は、主底面と前記主底面に略並行でかつ前記第二の筐体部寄りに段差をなして配置された準底面と、前記主底面と前記準底面をつなぐ側面と、前記主底面と前記準底面の端部に設けられた前記第二の筐体部との結合部からなり、前記主底面と前記側面に対面して補強部材が配置され、前記補強部材は前記主底面と前記側面の少なくとも一方に接着剤にて接着された部分を含むことを特徴とする光ディスク装置によって、より簡便な方法で補強部材を筐体に固定し、筐体を補強することができる。
【００２９】
請求項１２記載の発明は、第１の領域及び前記第１の領域よりも間隔の狭い第２の領域を有した筐体と、前記第１の領域に対向して媒体を回転させる駆動手段，光学系部材を搭載した光ピックアップモジュール，前記駆動手段と光ピックアップモジュールを搭載したトレイを配置した光ディスク装置であって、前記第１の領域において前記第２の領域側の端部に補強部材を設けたことを特徴とする光ディスク装置によって、第１の領域の第２の領域側の端部を補強し、筐体を強化することができる。
【００３０】
請求項１３記載の発明は、トレイをスライド自在に保持するレール部を前記第１の領域の端部に設け、前記レール部をスライド自在に保持する保持部と補強部材を兼用し、前記保持部は第１の領域の一部を挟むように設けたことを特徴とする請求項１２記載の光ディスク装置によって、補強部材を部材点数を増やすことなく構成することができ、筐体を補強することができる。
【００３１】
請求項１４記載の発明は、第１の領域の側方に第２の領域を設けたことを特徴とする請求項１２記載の光ディスク装置によって、第１の領域と第２の領域の接触部近傍を補強することで、筐体を強化することができる。
【００３２】
以下、本発明における光ディスク装置の実施の形態について説明する。
【００３３】
（実施の形態１）
図１，図２はそれぞれ本発明の一実施の形態における光ディスク装置の構成を示す裏面から見た斜視図及び電子機器への取り付け方法を示す図、図３は本発明の一実施の形態における光ディスク装置の構成を示す表面から見た斜視図、図４は本発明の一実施の形態における下カバーの斜視図である。１は光ピックアップ、２はメインシャフト、３はサブシャフト、４はスピンドルモータ、５はベース、６はピックアップモジュール（ＰＵＭ）、７はトレイ、８はキャリッジ、９はレール、１０は筐体、１１は光ディスク装置、１２は光ディスク装置側の取り付けネジ穴、１３は制御回路等を構成する回路基板、１４はフレーム、１５は携帯用電子機器、１６は取り付けに介在させるアタッチメント、１７はアタッチメント側取り付け穴である。ピックアップモジュール６、トレイ７は底面１０ｈに対向して構成されている。これら構成は従来の技術と同じであるので説明は省略する。
【００３４】
以下本発明の特徴部分について説明する。
【００３５】
筐体１０は上カバー１０ａと下カバー１０ｂで構成されている。筐体１０は光ディスク装置１１の構成部材を保持し、かつ電子機器に固定するに十分な強度を維持できる材質で構成されており、鉄，鉄合金，アルミ，アルミ合金，マグネシウム合金などの金属材料、特にアルミニウムやアルミニウム合金のように軽量な金属材料が望ましい。また、その表面に耐食性などを向上させるために鍍金膜等を設けてもよい。また筐体１０は、薄い肉厚で強度を維持できる樹脂材料であってもよい。
【００３６】
上カバー１０ａは平板状であるが、端部に略直角な側面１０ｑを一部有している。図４において、下カバー１０ｂは正方形もしくは長方形の底面の四辺のうち、トレイ引き出し側でない三辺において底面１０ｈに略直角な側面１０ｉ、１０ｊ、１０ｋをそれぞれ形成している。底面１０ｈに略直角な３つの側面のうちトレイ７の引き出し方向に平行な２辺１０ｉと１０ｋの距離は装着する最大のディスクの直径よりも小さいため、ディスクと干渉しないよう側面１０ｋの端部は底面１０ｈに略並行かつ側面１０ｋに対して底面１０ｈとは反対側に曲がっており、準底面１０ｌを形成している。さらに準底面１０ｌの端部には最大のディスクの直径で干渉しない様側面１０ｉとの距離を確保して、側面１０ｉに略並行に、かつ準底面１０ｌに対し側面１０ｋとは反対側に側面１０ｍを形成している。上カバー１０ａと下カバー１０ｂは、上カバー１０ａの側面１０ｑと、下カバー１０ｂの側面１０ｉ、１０ｊ、１０ｋ、１０ｍの間の数箇所で嵌合している。
【００３７】
側面１０ｋからは底面１０ｈ側に、底面１０ｈに略平行な平板状の突出部２０が形成されている。以上のような構成は、１枚の金属板から曲げ加工を含む加工にて形成されることが、加工を容易にする上で望ましい。また突出部２０の形状は、側面２０において突出部２０の形状を切り取っておき、準底面１０ｌの曲げ加工時突出部２０の根元を曲げないことで形成することができる。
【００３８】
側面１０ｉ、１０ｋの底面１０ｈ側の面に接して、レールガイド１９、レールガイド１９ｇがそれぞれ設けられている。レールガイド１９、レールガイド１９ｃにはレール９が移動自在に保持されており、さらにトレイ７が、レール保持部７ａにおいてレール９に移動自在に保持されている。
【００３９】
次に、下カバー１０ｂとレールガイド１９、レールガイド１９ｇの構成について、図５を用いて詳細に説明する。
【００４０】
図５は下カバー１０ｂと下カバー１０ｂに取り付けられたレールガイドの構成を示す図、図６は突出部１９ａと貫通孔２０ａの構成を示す図である。レールガイドは側面１０ｋに接して装着されるレールガイド１９と側面１０ｉに接して装着されるレールガイド１９ｇがあるが、レールガイド１９ｇの構成、装着方法は従来例と同等でよい。レールガイド１９は突出部２０と底面１０ｈに挟まれており、レールガイド１９と突出部２０の重なる部分の突出部２０側には貫通孔２０ａが、レールガイド１９と底面１０ｈの重なる部分の底面１０ｈ側には貫通孔１０ｎがある。レールガイド１９には突出部２０の貫通孔２０ａに入る突出部１９ａと、底面１０ｈの貫通孔１０ｎに入る突出部１９ｂがあり、突出部１９ａ、１９ｂがそれぞれ貫通孔２０ａ、１０ｎに入って、レールガイド１９が下カバー１０ｂに装着される。突出部１９ａ、１９ｂにはそれぞれ係止部１９ｃ、１９ｄがあり、突出部１９ａ、１９ｂをそれぞれ貫通孔２０ａ、１０ｎに挿入後、レールガイド１９をスライドさせて突出部２０及び底面１０ｈに係止する。これによって、係止部１９ｃ、１９ｄによる係止を介してレールガイド１９が曲げ部１０ｆ、１０ｇを補強する為、図６（ｃ）や図１０（ｂ）の荷重Ｆのような曲げ部１０ｆ、１０ｇ近傍の筐体端部への荷重による変形を低減する事ができる。
【００４１】
なお、図６に示すように、突出部２０の貫通孔２０ａ近傍及び底面１０ｈの貫通孔１０ｎ近傍において、レールガイド１９の係止部１９ｃ、１９ｄの頭が突出部２０及び底面１０ｈの表面から突出しないようそれぞれ凹部２０ｂ、１０ｐを設けてもよい。もしくは突出部２０については、Ｂ−Ｂ断面を図６（ｃ）に示すように突出部２０と側面１０ｋの交線に略一致させて段差を設け、準底面１０ｌから係止部１９ｃの頭が突出しないようにしてもよい。
【００４２】
図７から図１１はそれぞれにレールガイド１９の突出部１９ａ、１９ｂに設けた係止部の別の形態を示す図である。各突出部は２つもしくは複数の突出部から構成され、その先端は互いに反対方向に曲がって係止部１９ｃ、１９ｄを形成する。複数の突出部の外寸法ａは貫通孔２０ａ、１０ｎの相対する寸法ｂに一致もしくは嵌合裕度分小さくしている。また、係止部１９ｃ、１９ｄの外寸法ｃは貫通孔２０ａ、１０ｎの対応する寸法ｂよりも大きいが、突出部１９ａ、１９ｂ及び係止部１９ｃ、１９ｄを貫通孔２０ａ、１０ｎに圧入できるよう寸法設定されている。係止する下カバー１０ｂ側の形状については図６に示す形態と同等である。本実施の形態においても係止部１９ｃ、１９ｄによる係止を介してレールガイド１９が曲げ部１０ｆ、１０ｇを補強する事ができる。
【００４３】
なお図８に示すように、突出部１９ａ、１９ｂに係止部を設けず突出部２０及び底面１０ｈの表面から突出させ、これを超音波溶着や熱溶着によって潰して係止部を形成して係止してもよい。
【００４４】
図９にレールガイド１９を下カバー１０ｂに固定する別の形態を示す。レールガイド１９の突出部１９ａ、１９ｂは貫通孔２０ａ、１０ｎと嵌合しており、先端は平坦でネジ穴２２が設けられている。突出部１９ａと突出部２０、突出部１９ｂと底面１０ｈはそれぞれネジ止めで固定される。ネジの頭が突出部２０及び底面１０ｈの表面から突出しないようにするには、図６に示す形態と同様に突出部２０及び底面１０ｈに凹部や段差を設ければよい。
【００４５】
図１０にレールガイド１９を下カバー１０ｂに固定する別の形態を示す。突出部１９ａ、１９ｂは係止部を設けず、貫通孔２０ａ、１０ｎにそれぞれ嵌合することによってレールガイド１９の位置決めを行う。レールガイド１９と下カバー１０ｂの接触する部分の少なくとも一部に接着剤２１を塗布することによって、レールガイド１９を下カバー１０ｂに固定する。これによってレールガイド１９が下カバー１０ｂを補強することができる。
【００４６】
図１１にレールガイド１９を下カバー１０ｂに固定する別の形態を示す。レールガイド１９に設けられた突出部１９ａ、１９ｂは係止部を設けず、側面１０ｋに貫通孔１９ｅが密着した状態で貫通孔２０ａ、１０ｎにそれぞれ嵌合している。一方、側面１０ｋからは底面１０ｈに略平行な別の平板上の突出部２３が設けられている。レールガイド１９の側面１０ｋに接する面で突出部２３に相対する部分には貫通孔１９ｅがあり、突出部２３は貫通孔１９ｅを貫通するとともに、レールガイド１９の内面１９ｆに接している。すなわち、突出部２０と突出部２３によってレールガイド１９の一辺を肉厚方向両側から挟む構成となっている。また、レールガイド１９の内面１９ｆはレール９が滑って動く為、突出部２３がレールガイド１９の内面１９ｆから突出しないようレールガイド１９の内面１９ｆの突出部２３に面する部分は他の部分に対して内面側から窪んで肉厚を薄くしている。
【００４７】
以上のような、レールガイド１９を下カバー１０ｂに固定する構成が複数個設けられている。また、以上のようなレールガイド１９を下カバー１０ｂに固定する異なった構成が、混在して構成されていてもよい。
【００４８】
【発明の効果】
本発明は、第一の筐体部と第二の筐体部を互いに固定して構成された筐体と、媒体を回転させる駆動手段，光学系部材を搭載した光ピックアップモジュール，前記駆動手段と光ピックアップモジュールを搭載したトレイ、制御部を構成する回路部を備えた光ディスク装置であって、前記第一の筐体部は、主底面と前記主底面に略並行でかつ前記第二の筐体部寄りに段差をなして配置された準底面と、前記主底面と前記準底面をつなぐ側面と、前記主底面と前記準底面の端部に設けられた前記第二の筐体部との結合部と、前記準底面と前記側面の交線近傍から前記主底面側に伸ばされた平板状突起部からなり、前記主底面と前記側面と前記突起部に対面して補強部材が配置され、前記補強部材と前記突起部とは前記補強部材が前記突起部を挟みつける構造を少なくとも部分的に有することとしたことにより、主底面と側面の結合部及び側面と準底面の結合部が補強されるため、外部からの荷重、特に準底面端部近傍にかかる主底面に垂直な方向の荷重による筐体の変形を低減することができる。したがって、筐体材質の肉厚を薄くしても筐体強度の低下を低減することができ、光ディスク装置の更なる軽量化、薄型化を達成することができる。
【図面の簡単な説明】
【図１】本発明の一実施の形態における光ディスク装置の構成を示す斜視図
【図２】本発明の一実施の形態における光ディスク装置における電子機器への取り付け方法を示す図
【図３】本発明の一実施の形態における光ディスク装置の構成を示す表面から見た斜視図
【図４】本発明の一実施の形態における下カバーの斜視図
【図５】下カバーと下カバーに取り付けられたレールガイドの構成を示す図
【図６】突出部と貫通孔の構成を示す図
【図７】レールガイドの突出部に設けた係止部の別の形態を示す図
【図８】レールガイドの突出部に設けた係止部の別の形態を示す図
【図９】レールガイドを下カバーに固定する別の形態を示す図
【図１０】レールガイドを下カバーに固定する別の形態を示す図
【図１１】レールガイドを下カバーに固定する別の形態を示す図
【図１２】従来の光ディスク装置の構成を示す斜視図
【図１３】従来の光ディスク装置における携帯用電子機器への取り付け方法を示す図
【図１４】従来の光ディスク装置の中央部をトレイ引き出し方向に垂直な面で切った断面図
【符号の説明】
１  光ピックアップ
２  メインシャフト
３  サブシャフト
４  スピンドルモータ
５  ベース
６  光ピックアップモジュール
７  トレイ
７ａ  レール保持部
８  キャリッジ
９  レール
１０  筐体
１０ａ  上カバー
１０ｂ  下カバー
１０ｃ  上カバーと下カバーの嵌合部
１０ｄ  ディスク収納部
１０ｅ  ドライブ収納部
１０ｆ、１０ｇ  曲げ部
１０ｈ  底面
１０ｉ、１０ｊ、１０ｋ  側面
１０ｌ  準底面
１０ｍ  側面
１０ｎ  貫通孔
１０ｐ  凹部
１０ｑ  側面
１１  光ディスク装置
１２  取り付けネジ穴
１３  回路基板
１４  フレーム
１５  携帯用電子機器
１６  アタッチメント
１７  アタッチメント側取り付け穴
１８  ディスク
１９  レールガイド
１９ａ、１９ｂ  突出部
１９ｃ、１９ｄ  係止部
１９ｅ  貫通孔
１９ｆ  レールガイドの内面
１９ｇ  レールガイド
２０，２３  突出部
２０ａ  貫通孔
２０ｂ  凹部
２１  接着剤
２２  ネジ穴
２３  突出部
【図１】
2004355672.tif 000003
【図２】
2004355672.tif 000004
【図３】
2004355672.tif 000005
【図４】
2004355672.tif 000006
【図５】
2004355672.tif 000007
【図６】
2004355672.tif 000008
【図７】
2004355672.tif 000009
【図８】
2004355672.tif 000010
【図９】
2004355672.tif 000011
【図１０】
2004355672.tif 000012
【図１１】
2004355672.tif 000013
【図１２】
2004355672.tif 000014
【図１３】
2004355672.tif 000015
【図１４】
2004355672.tif 000016